(57)【要約】【課題】  外筐の十分な剛性を確保した上で通信性能の向上を図る。【解決手段】  内部に所要の各部が配置された外筐２と、外筐の内部に配置された回路基板３１と、所定の機能を実行するための操作部４５を有すると共に樹脂材料によって形成され外筐に取り付けられた操作ユニット４３とを設け、外筐の少なくとも一部を金属材料から成る金属筐体３によって構成し、回路基板にアンテナ４２を搭載し、操作ユニットを外筐におけるアンテナを覆う位置に取り付けた。【選択図】        図１１
2010136017.tif 000002
【特許請求の範囲】
【請求項１】
内部に所要の各部が配置された外筐と、
前記外筐の内部に配置された回路基板と、
所定の機能を実行するための操作部を有すると共に樹脂材料によって形成され前記外筐に取り付けられた操作ユニットとを備え、
前記外筐の少なくとも一部が金属材料から成る金属筐体によって構成され、
前記回路基板にアンテナが搭載され、
前記操作ユニットが前記外筐における前記アンテナを覆う位置に取り付けられた
携帯端末装置。
【請求項２】
前記操作ユニットに前記アンテナを互いに反対側から覆う一対の覆い壁を設けた
請求項１に記載の携帯端末装置。
【請求項３】
前記外筐の所定の面に画像を表示する表示パネルを配置し、
前記操作部としてスライド操作が行われて各種の機能の実行を可能な状態又は不可能な状態に保持するホールド摘子を設け、
前記ホールド摘子を前記外筐における前記表示パネルが配置された面と反対側の面に設けた
請求項１に記載の携帯端末装置。
【請求項４】
前記操作ユニットの一部として前記操作部をスライド自在に支持する支持ベースを設け、
前記操作部を第１の操作位置と第２の操作位置の間で前記支持ベースに対してスライド可能とし、
前記操作ユニットに前記操作部を前記第１の操作位置又は前記第２の操作位置に選択的に保持し樹脂材料によって形成されたクリックバネを設けた
請求項１に記載の携帯端末装置。
【請求項５】
前記クリックバネを前記支持ベースに一体に形成した
請求項４に記載の携帯端末装置。
【請求項６】
前記操作部を略半円形状に形成した
請求項１に記載の携帯端末装置。
【請求項７】
それぞれ所定の機能を実行するための複数の操作手段を設け、
前記複数の操作手段を前記外筐における前記アンテナを覆う位置に配置した
請求項１に記載の携帯端末装置。
【請求項８】
前記操作手段の一つとしてコンテンツの再生を行う再生釦を設けた
請求項７に記載の携帯端末装置。
【発明の詳細な説明】
【技術分野】
【０００１】
本発明は携帯端末装置についての技術分野に関する。詳しくは、樹脂材料によって形成された操作ユニットを金属筐体を有する外筐におけるアンテナを覆う位置に配置して外筐の十分な剛性を確保した上で通信性能の向上を図る技術分野に関する。
【背景技術】
【０００２】
携帯端末装置には、例えば、音楽や画像等のコンテンツの再生や視聴等を行うことが可能な装置の他、情報処理等を行うことが可能なＰＤＡ（Personal Digital Assistants）や携帯電話装置等が存在する。
【０００３】
このような携帯端末装置には情報の送受信を行うことが可能なアンテナを有する通信機能を備えた装置がある。
【０００４】
通信機能を備えた携帯端末装置には、アンテナを外部へ引き出して使用するタイプとアンテナが外筐に内蔵されたタイプとがあり、アンテナが外筐に内蔵されたタイプにおいては、外筐の内部に配置された回路基板にアンテナが搭載されている（例えば、特許文献１参照）。
【０００５】
【特許文献１】特開２００７−６７７４４号公報
【発明の開示】
【発明が解決しようとする課題】
【０００６】
ところで、上記のように、内部に所要の各部が配置される外筐は、内部に配置される各部の保護や内部で発生する熱の外部への放出性能の向上等を図るために、剛性が高く熱伝導性に優れた金属材料によって形成することが望ましい。特に、携帯用の装置にあっては、落下や振動等によって外力が付与され易いため、樹脂材料よりも剛性が高い金属材料によって外筐を形成する必要性が高い。
【０００７】
ところが、上記のようなアンテナが外筐に内蔵されたタイプの携帯端末装置においては、金属材料によって形成された外筐の内部にアンテナが配置されるため、金属材料によってアンテナの通信感度が低下し、携帯端末装置の通信性能の低下を生じるおそれがある。
【０００８】
そこで、本発明携帯端末装置は、上記した問題点を克服し、外筐の十分な剛性を確保した上で通信性能の向上を図ることを課題とする。
【課題を解決するための手段】
【０００９】
携帯端末装置は、上記した課題を解決するために、内部に所要の各部が配置された外筐と、前記外筐の内部に配置された回路基板と、所定の機能を実行するための操作部を有すると共に樹脂材料によって形成され前記外筐に取り付けられた操作ユニットとを設け、前記外筐の少なくとも一部が金属材料から成る金属筐体によって構成され、前記回路基板にアンテナが搭載され、前記操作ユニットが前記外筐における前記アンテナを覆う位置に取り付けられるようにしたものである。
【００１０】
従って、携帯端末装置にあっては、外筐の少なくとも一部が金属材料によって形成されると共にアンテナが樹脂材料によって形成された操作ユニットに覆われる。
【００１１】
上記した携帯端末装置においては、前記操作ユニットに前記アンテナを互いに反対側から覆う一対の覆い壁を設けることが望ましい。
【００１２】
操作ユニットにアンテナを互いに反対側から覆う一対の覆い壁を設けることにより、アンテナの両側に覆い壁が配置される。
【００１３】
上記した携帯端末装置においては、前記外筐の所定の面に画像を表示する表示パネルを配置し、前記操作部としてスライド操作が行われて各種の機能の実行を可能な状態又は不可能な状態に保持するホールド摘子を設け、前記ホールド摘子を前記外筐における前記表示パネルが配置された面と反対側の面に設けることが望ましい。
【００１４】
ホールド摘子を外筐における表示パネルが配置された面と反対側の面に設けることにより、携帯端末装置を把持した指が、表示パネルが配置された面と反対側の面に位置される。
【００１５】
上記した携帯端末装置においては、前記操作ユニットの一部として前記操作部をスライド自在に支持する支持ベースを設け、前記操作部を第１の操作位置と第２の操作位置の間で前記支持ベースに対してスライド可能とし、前記操作ユニットに前記操作部を前記第１の操作位置又は前記第２の操作位置に選択的に保持し樹脂材料によって形成されたクリックバネを設けることが望ましい。
【００１６】
操作部を第１の操作位置又は第２の操作位置に選択的に保持し樹脂材料によって形成されたクリックバネを設けることにより、アンテナの感度の低下を来たすことがないクリックバネによって操作部が第１の操作位置又は第２の操作位置に保持される。
【００１７】
上記した携帯端末装置においては、前記クリックバネを前記支持ベースに一体に形成することが望ましい。
【００１８】
クリックバネを支持ベースに一体に形成することにより、部品点数が削減される。
【００１９】
上記した携帯端末装置においては、前記操作部を略半円形状に形成することが望ましい。
【００２０】
操作部を略半円形状に形成することにより、操作時に操作部に対して指からかかる力が半円形状の中心部と指を結ぶ方向へかかり易い。
【００２１】
上記した携帯端末装置においては、それぞれ所定の機能を実行するための複数の操作手段を設け、前記複数の操作手段を前記外筐における前記アンテナを覆う位置に配置することが望ましい。
【００２２】
複数の操作手段を外筐におけるアンテナを覆う位置に配置することにより、操作部の付近に操作手段が纏まって配置される。
【００２３】
上記した携帯端末装置においては、前記操作手段の一つとしてコンテンツの再生を行う再生釦を設けることが望ましい。
【００２４】
操作手段の一つとしてコンテンツの再生を行う再生釦を設けることにより、使用頻度の高い釦が操作手段として配置される。
【発明の効果】
【００２５】
本発明携帯端末装置は、内部に所要の各部が配置された外筐と、前記外筐の内部に配置された回路基板と、所定の機能を実行するための操作部を有すると共に樹脂材料によって形成され前記外筐に取り付けられた操作ユニットとを備え、前記外筐の少なくとも一部が金属材料から成る金属筐体によって構成され、前記回路基板にアンテナが搭載され、前記操作ユニットが前記外筐における前記アンテナを覆う位置に取り付けられるようにしている。
【００２６】
従って、外筐の十分な剛性を確保した上で通信性能の向上を図ることができる。
【００２７】
請求項２に記載した発明にあっては、前記操作ユニットに前記アンテナを互いに反対側から覆う一対の覆い壁を設けたので、通信性能の一層の向上を図ることができる。
【００２８】
請求項３に記載した発明にあっては、前記外筐の所定の面に画像を表示する表示パネルを配置し、前記操作部としてスライド操作が行われて各種の機能の実行を可能な状態又は不可能な状態に保持するホールド摘子を設け、前記ホールド摘子を前記外筐における前記表示パネルが配置された面と反対側の面に設けている。
【００２９】
従って、表示パネルを使用者側に向けた状態において、携帯端末装置を把持した指でホールド摘子を容易に操作することができ、操作性の向上を図ることができる。
【００３０】
請求項４に記載した発明にあっては、前記操作ユニットの一部として前記操作部をスライド自在に支持する支持ベースを設け、前記操作部を第１の操作位置と第２の操作位置の間で前記支持ベースに対してスライド可能とし、前記操作ユニットに前記操作部を前記第１の操作位置又は前記第２の操作位置に選択的に保持し樹脂材料によって形成されたクリックバネを設けている。
【００３１】
従って、クリックバネを設けることによってアンテナの感度の低下を来たすことがなく、操作性の向上による携帯端末装置の使い勝手の向上を図った上で良好な通信性能を確保することができる。
【００３２】
請求項５に記載した発明にあっては、前記クリックバネを前記支持ベースに一体に形成したので、部品点数の削減による携帯端末装置の製造コストの低減を図ることができる。
【００３３】
請求項６に記載した発明にあっては、前記操作部を略半円形状に形成したので、操作時に操作部に対して指からかかる力が半円形状の中心部と指を結ぶ方向へかかり易く、操作部の円滑な操作を行うことができる。
【００３４】
請求項７に記載した発明にあっては、それぞれ所定の機能を実行するための複数の操作手段を設け、前記複数の操作手段を前記外筐における前記アンテナを覆う位置に配置している。
【００３５】
従って、操作部の付近に操作手段が纏まって配置され、操作性の向上を図ることができる。
【００３６】
請求項８に記載した発明にあっては、前記操作手段の一つとしてコンテンツの再生を行う再生釦を設けたので、使用頻度の高い再生釦を配置することにより、操作性の向上を図ることができる。
【発明を実施するための最良の形態】
【００３７】
以下に、本発明携帯端末装置を実施するための最良の形態を添付図面を参照して説明する。
【００３８】
以下に示した最良の形態は、本発明を音楽や画像等のコンテンツの再生や視聴等を行うことができる携帯端末装置に適用したものである。尚、本発明の適用範囲はこのような携帯端末装置に限られることはなく、情報処理を行うことが可能なＰＤＡ（Personal Digital Assistants）や通信機能を有する携帯電話装置等の各種の携帯端末装置に広く適用することができる。
【００３９】
以下に説明する携帯端末装置には表示パネルが配置されており、以下の説明にあっては、表示パネルが配置された側を前方として前後上下左右の方向を示すものとする。
【００４０】
尚、以下に示す前後上下左右の方向は説明の便宜上のものであり、本発明の実施に関しては、これらの方向に限定されることはない。
【００４１】
［全体構成］
携帯端末装置１は、図１及び図２に示すように、例えば、縦長の扁平な略矩形状に形成され、外筐２と該外筐２の内部に配置された所要の各部とを有している。外筐２の外面は、前面２ａ、後面２ｂ、上面２ｃ、下面２ｄ、左側面２ｅ及び右側面２ｆによって構成されている。
【００４２】
外筐２は枠状の金属筐体３と該金属筐体３の前面に取り付けられた平板状のフロントパネル４と金属筐体３の後面に取り付けられた平板状のリアパネル５とから成る。
【００４３】
［金属筐体］
金属筐体３は、図３及び図４に示すように、上面部６、下面部７、左側面部８、右側面部９及び取付面部１０によって構成されている。取付面部１０は前後方向を向き下面部７、左側面部８の下端部及び右側面部９の下端部の各前面に連続して設けられている。
【００４４】
上面部６には、左右両端部を除く部分に後方に開口された配置用切欠６ａが形成され、左端部に上下に貫通された端子挿通孔６ｂが形成されている（図５参照）。端子挿通孔６ｂはイヤホーンやヘッドホーンの端子が挿入される孔である。上面部６の前縁には下方へ突出されたネジ止め片６ｃ、６ｃが左右に離隔して設けられている。
【００４５】
下面部７には、左右方向における中央部に端子挿入孔７ａが形成され、該端子挿入孔７ａの左右にネジ挿通孔７ｂ、７ｂが形成されている。端子挿入孔７ａは充電用の端子が挿入される孔である。
【００４６】
右側面部９の上端寄りの位置には操作手段１１、１１が上下に離隔して配置されている。操作手段１１、１１は操作されることにより所定の機能を実行するための操作釦、操作摘子又は操作ダイヤルであり、操作手段１１、１１としては、例えば、音量調節摘子とノイズ機能オンオフスイッチが設けられている。
【００４７】
取付面部１０の後面には、左右両端部にそれぞれネジ止め部１０ａ、１０ａが設けられ、該ネジ止め部１０ａ、１０ａの内側にそれぞれネジ止めボス１０ｂ、１０ｂが設けられている。取付面部１０には、左右方向における中央部に操作用孔１０ｃが形成され、該操作用孔１０ｃの左方にスピーカー配置孔１０ｄが形成されている。
【００４８】
［第１の操作ユニット］
上面部６には、配置用切欠６ａに配置された状態で第１の操作ユニット１２が取り付けられている（図３、図４及び図６参照）。第１の操作ユニット１２は、樹脂材料によって形成されたベース体１３と、該ベース体１３に貼り付けられた第１のフレキシブルプリント配線板１４と、該第１のフレキシブルプリント配線板１４上に配置された操作手段１５、１５、１５と、該操作手段１５、１５、１５を保持するホルダー１６とから成る。
【００４９】
ベース体１３は上下方向を向き左右に長く形成された貼付面部１３ａと該貼付面部１３ａから下方へ突出され前後方向を向く被取付面部１３ｂとから成る。
【００５０】
第１のフレキシブルプリント配線板１４は右端部を除いてベース体１３の貼付面部１３ａの上面に貼り付けられている。第１のフレキシブルプリント配線板１４の右端部は接続部１４ａとして設けられ下方へ折り曲げられている。
【００５１】
操作手段１５、１５、１５は横並びの状態で連結されており、ベース体１３の貼付面部１３ａに貼り付けられた第１のフレキシブルプリント配線板１４上に配置される。操作手段１５、１５、１５は、操作されることにより所定の機能を実行するための操作釦、操作摘子又は操作ダイヤルであり、操作手段１５、１５、１５としては、例えば、再生釦、早送り釦、巻き戻し釦が設けられている。
【００５２】
ホルダー１６には左右に離隔して釦配置孔１６ａ、１６ａ、１６ａが形成されている。ホルダー１６はベース体１３に取り付けられ、金属筐体３の上面部６に形成された配置用切欠６ａに配置される。ホルダー１６がベース体１３に取り付けられた状態においては、ホルダー１６によって第１のフレキシブルプリント配線板１４の接続部１４ａを除いた部分が閉塞され、釦配置孔１６ａ、１６ａ、１６ａにそれぞれ操作手段１５、１５、１５が挿入されて配置される。
【００５３】
取付面部１０の後面には、左右方向における中央部に操作用孔１０ｃを覆った状態で基板１７が取り付けられ、左端部にスピーカー１８がスピーカー配置孔１０ｄを覆った状態で取り付けられている。
【００５４】
［フロントパネル］
フロントパネル４は、例えば、ガラス材料によって形成されている。フロントパネル４は、図１、図３及び図４に示すように、外周部を除く部分が透明にされたタッチパネル部４ａとして形成され、他の部分が不透明に形成されている。フロントパネル４の下端部には下方へ開口された切欠部４ｂが形成され、該切欠部４ｂは上方へ凸の略半円形状に形成されている。フロントパネル４の後面には、下端部に第２のフレキシブルプリント配線板１９が貼り付けられている。第２のフレキシブルプリント配線板１９はタッチパネル用の回路基板であり、右端部に下方へ突出された接続部１９ａが設けられている。
【００５５】
第２のフレキシブルプリント配線板１９は接続部１９ａ以外の部分がフロントパネル４の後面に貼り付けられ、接続部１９ａが後述する回路基板に電気的に接続されている。
【００５６】
フロントパネル４の下端部には切欠部４ｂを閉塞した状態で操作釦２０が配置される。操作釦２０は上方へ凸の略半円形状に形成され、例えば、押圧操作されることにより後述する表示パネルに初期画面を表示するためのホーム釦である。操作釦２０が押圧されると、金属筐体３の取付面部１０に形成された操作用孔１０ｃを介して基板１７に設けられた図示しないスイッチが押圧され、表示パネルに初期画面を表示する機能が実行される。
【００５７】
［シャーシ］
外筐２の内部にはシャーシ２１が配置される。シャーシ２１は板状の金属材料が所定の形状に折り曲げられて形成され、前後方向を向くベース面部２２と該ベース面部２２の左右両側縁からそれぞれ後方へ突出された側面部２３、２３とから成る。
【００５８】
ベース面部２２の上端部には、図７に示すように、上方へ突出されたネジ止め片２２ａ、２２ａが設けられ、該ネジ止め片２２ａ、２２ａは左右に離隔して設けられている。ベース面部２２の下端部には、左右両端部にそれぞれ下方へ突出されたネジ止め片２２ｂ、２２ｂが設けられている。
【００５９】
ベース面部２２の前面には表示パネル２４が取り付けられている。
【００６０】
ベース面部２２の後面における下端部には第３のフレキシブルプリント配線板２５が貼り付けられている。第３のフレキシブルプリント配線板２５は、横長の略矩形状に形成され左端部が接続部２５ａとして設けられている。第３のフレキシブルプリント配線板２５は接続部２５ａ以外の部分がベース面部２２に貼り付けられている。
【００６１】
シャーシ２１の右側の側面部２３の外面には第４のフレキシブルプリント配線板２６が貼り付けられている。第４のフレキシブルプリント配線板２６の下端部は側面部２３から下方へ突出された接続部２６ａとして設けられている。
【００６２】
シャーシ２１の左側の側面部２３には、上端部に左方へ突出された係合片２３ａが設けられ、上端寄りの位置に右方へ突出された取付片部２３ｂが設けられている。
【００６３】
シャーシ２１は金属筐体３にフロントパネル４の後面側に配置された状態で取り付けられる（図４参照）。シャーシ２１の金属筐体３への取付は、例えば、取付ネジ１００、１００、・・・がそれぞれベース面部２２のネジ止め片２２ａ、２２ａ、２２ｂ、２２ｂを挿通され、金属筐体３の上面部６のネジ止め片６ｃ、６ｃ及び取付面部１０のネジ止め部１０ａ、１０ａに螺合されることにより行われる。尚、上側のネジ止め片２２ａ、２２ａを挿通される取付ネジ１００、１００は、後述するように、金属筐体３に回路基板等の他の部材を共締めすることにより取り付けるための取付ネジでもある。
【００６４】
シャーシ２１がフロントパネル４の後面側に取り付けられた状態においては、表示パネル２４がフロントパネル４のタッチパネル部４ａに当接又は近接した状態とされる。
【００６５】
シャーシ２１がフロントパネル４の後面側に取り付けられた状態においては、ベース面部２２は、上端部における上側のネジ止め片２２ａ、２２ａを除いた部分が第１の操作ユニット１２のベース体１３における被取付面部１３ｂの前側に配置される。また、第４のフレキシブルプリント配線板２６の上端部には第１の操作ユニット１２の第１のフレキシブルプリント配線板１４における接続部１４ａが接続される。
【００６６】
［イヤホーンユニット］
外筐２の内部における上端部には、図４に示すように、その左端部にイヤホーンユニット２７が取り付けられる。イヤホーンユニット２７は略円筒状に形成されたイヤホーンジャック２８と該イヤホーンジャック２８を保持する保持部材２９とイヤホーンジャック２８の後面に貼り付けられた第５のフレキシブルプリント配線板３０とによって構成されている。
【００６７】
保持部材２９には、図８に示すように、上下両端部にそれぞれネジ挿通部２９ａ、２９ｂが設けられ、下側のネジ挿通部２９ｂの側方にネジ止め部２９ｃが設けられている。
【００６８】
第５のフレキシブルプリント配線板３０は下方へ突出された接続部３０ａを有し、該接続部３０ａ以外の部分がイヤホーンジャック２８に貼り付けられている。
【００６９】
イヤホーンユニット２７は、イヤホーンジャック２８が保持部材２９に結合された状態で、図４に示すように、取付ネジ１００、１００がそれぞれネジ挿通部２９ａ、２９ｂに挿通され、一方の取付ネジ１００がシャーシ２１のネジ止め片２２ａを挿通されて金属筐体３のネジ止め片６ｃに螺合され、他方の取付ネジ１００がシャーシ２１の取付片部２３ｂに螺合されて金属筐体３及びシャーシ２１に取り付けられる。尚、一方の取付ネジ１００は、上記したシャーシ２１のネジ止め片２２ａを挿通され金属筐体３のネジ止め片６ｃに螺合される取付ネジ１００であり、この取付ネジ１００によって保持部材２９とシャーシ２１が金属筐体３に共締めされる。
【００７０】
［回路基板］
シャーシ２１のベース面部２２の後面側には回路基板３１が取り付けられる（図３及び図４参照）。回路基板３１は縦長の形状に形成され、回路板３２の前後両面にチップ部品３３、３３、・・・等の所要の各部品が搭載されて成る。
【００７１】
回路板３２の上端部と下端部には、図９及び図１０に示すように、それぞれ左右に離隔してネジ挿通孔３２ａ、３２ａ、３２ｂ、３２ｂが形成されている。
【００７２】
回路板３２の前面には、下端部に充電用コネクター３４が搭載され、下端寄りの位置にコネクター３５が搭載されている。回路板３２の前面には、上下両端部を除く部分に押さえ板３６が取り付けられている。押さえ板３６は前面が回路板３２の前面より稍前方に位置され、前面における左右両端部にそれぞれ舌片状の押さえ板バネ３６ａ、３６ａ、・・・を有している。押さえ板バネ３６ａ、３６ａ、・・・は弾性変形可能とされている。
【００７３】
回路板３２の後面には、上端寄りの位置にスイッチ３７とコネクター３８が搭載されている。回路板３２の後面には、下端寄りの位置にコネクター３９、４０が左右に離隔して搭載されている。回路板３２の後面には、上下両端部を除く部分に薄型の充電池４１が取り付けられている。充電池４１は回路板３２の充電池用端子部に接続されている。
【００７４】
回路板３２の後面には、上端部にアンテナ４２が搭載されている。アンテナ４２は、例えば、地上デジタル放送のワンセグメント放送の受信用のアンテナである。
【００７５】
回路基板３１は、図４に示すように、取付ネジ１００、１００、・・・がそれぞれネジ挿通孔３２ａ、３２ａ、３２ｂ、３２ｂに挿通されて金属筐体３等に取り付けられる。即ち、挿通孔３２ａを挿通された一方の取付ネジ１００はシャーシ２１のネジ止め片２２ａを挿通されて金属筐体３のネジ止め片６ｃに螺合され、挿通孔３２ａを挿通された他方の取付ネジ１００はイヤホーンユニット２７における保持部材２９のネジ止め部２９ｃに螺合される。また、挿通孔３２ｂ、３２ｂを挿通された取付ネジ１００、１００はそれぞれ金属筐体３における取付面部１０のネジ止めボス１０ｂ、１０ｂに螺合される。従って、四つの取付ネジ１００、１００、・・・がそれぞれ金属筐体３のネジ止め片６ｃ、イヤホーンユニット２７のネジ止め部２９ｃ、金属筐体３のネジ止めボス１０ｂ、１０ｂに螺合されて回路基板３１が金属筐体３及びイヤホーンユニット２７に取り付けられる。
【００７６】
尚、挿通孔３２ａを挿通された一方の取付ネジ１００は、上記したシャーシ２１のネジ止め片２２ａを挿通され金属筐体３のネジ止め片６ｃに螺合される取付ネジ１００であり、この取付ネジ１００によって回路基板３１とシャーシ２１が金属筐体３に共締めされる。
【００７７】
回路基板３１が金属筐体３等に取り付けられた状態においては、押さえ板３６の押さえ板バネ３６ａ、３６ａ、・・・がシャーシ２１におけるベース面部２２の後面に押し付けられている。従って、回路基板３１は押さえ板バネ３６ａ、３６ａ、・・・の弾性力によってシャーシ２１のベース面部２２に対してガタツキのない安定した状態で配置される。
【００７８】
回路基板３１が金属筐体３等に取り付けられた状態において、シャーシ２１のベース面部２２に貼り付けられた第３のフレキシブルプリント配線板２５の接続部２５ａがコネクター３５に接続される。フロントパネル４に貼り付けられた第２のフレキシブルプリント配線板１９の接続部１９ａはコネクター３９に接続される。シャーシ２１の側面部２３に貼り付けられた第４のフレキシブルプリント配線板２６の接続部２６ａはコネクター４０に接続される。イヤホーンユニット２７のイヤホーンジャック２８に貼り付けられた第５のフレキシブルプリント配線板３０の接続部３０ａはコネクター３８に接続される。
【００７９】
［第２の操作ユニット］
回路基板３１の上端部における後面側には第２の操作ユニット４３が取り付けられる。第２の操作ユニット４３は、図１１及び図１２に示すように、樹脂材料によって形成された支持ベース４４と、該支持ベース４４にスライド自在に支持され樹脂材料によって形成された操作部４５と、樹脂材料によって形成され支持ベース４４に取り付けられたクリックバネ４６とから成る。
【００８０】
支持ベース４４は厚みの薄い横長の略矩形状に形成され、上端部における右端部と下端部における左端部にそれぞれネジ挿通孔４４ａ、４４ａを有している。
【００８１】
支持ベース４４には、後面における右端部に後方及び下方に開口された浅い係合用凹部４４ｂが形成され、該係合用凹部４４ｂの上端部に連続して前後に貫通された挿入孔４４ｃが形成されている。支持ベース４４の挿入孔４４ｃの上側の部分は係合部４４ｄとして設けられている。支持ベース４４の前面における上端部には覆い壁４４ｅ、４４ｅが左右に離隔して設けられている。
【００８２】
支持ベース４４の後面には下方へ凸の略半円形状にされた浅いスライド用凹部４７が形成されている。スライド用凹部４７には、下縁に左右に離隔して第１のストッパー縁４７ａ、４７ａが形成され、上縁に左右に離隔して第２のストッパー縁４７ｂ、４７ｂが形成されている。
【００８３】
スライド用凹部４７の左右方向における中央部には縦長の浅い配置用凹部４８が形成されている。スライド用凹部４７には、配置用凹部４８の左右にそれぞれ上下に延びる案内溝４９、４９が形成され、該案内溝４９、４９のそれぞれ外側に上下に延びる支持孔５０、５０が形成されている。スライド用凹部４７の右端部には、上下に延びる突部挿通孔５１が形成されている。
【００８４】
操作部４５は、例えば、各種の機能の実行を可能な状態又は不可能な状態に保持するホールド摘子である。
【００８５】
操作部４５は厚みの薄い下方へ凸の略半円形状にされ、上端部を除く外周部４５ａが他の部分より薄く形成されている。この他の部分は外周部４５ａより厚みの厚い肉厚部４５ｂとして設けられ、外周部４５ａと肉厚部４５ｂの境界部分には円弧状に延びる段差部４５ｃが形成されている。
【００８６】
操作部４５の外周部４５ａの下縁と左端寄りの位置にはそれぞれ左右方向へ延びる第１の被規制縁４５ｄ、４５ｄが形成されている。操作部４５の上縁における左右両端部はそれぞれ第２の被規制縁４５ｅ、４５ｅとして形成されている。
【００８７】
操作部４５の前面には、図１３に示すように、左右方向における中央部に被保持溝４５ｆ、４５ｇが形成されている。被保持溝４５ｆ、４５ｇは浅い凹溝として上下に離隔して形成され、被保持溝４５ｆ、４５ｇ間の部分が左右に延びる仕切部４５ｈとして設けられている。
【００８８】
操作部４５の前面には、被保持溝４５ｆ、４５ｇの左右にそれぞれ上下に延びる被案内突部５２、５２が前方へ突出して設けられ、該被案内突部５２、５２のそれぞれ外側に被支持突部５３、５３が設けられている。被支持突部５３、５３はそれぞれ前方へ突出された連結部５３ａ、５３ａと該連結部５３ａ、５３ａの前端部から外側へ突出された係合突部５３ｂ、５３ｂとから成る。
【００８９】
操作部４５の前面には、外周縁における右端寄りの位置に前方へ突出された操作突部５４が設けられている。
【００９０】
クリックバネ４６は上下に延びるバネ部５５と該バネ部５５の上端及び下端にそれぞれ連続する基部５６、５６とバネ部５５のそれぞれ左右に位置する連結ワイヤー部５７、５７とが一体に形成されて成る。
【００９１】
バネ部５５は上端及び下端から中央に近付くに従って左右の幅が狭くなる形状に形成され、上下方向における中央部にクリック突部５５ａが設けられている。クリック突部５５ａは後方へ凸の略半球状に形成されている。
【００９２】
連結ワイヤー部５７、５７はそれぞれ基部５６、５６の左端部間及び右端部間を連結するように設けられている。
【００９３】
クリックバネ４６は基部５６、５６に対してバネ部５５が前後方向へ変位するように弾性変形可能とされている。
【００９４】
クリックバネ４６は支持ベース４４の配置用凹部４８に挿入されて配置される。
【００９５】
クリックバネ４６が配置用凹部４８に配置された状態において、操作部４５の被支持突部５３、５３がそれぞれ支持ベース４４の支持孔５０、５０に後方から挿入される。被支持突部５３、５３がそれぞれ支持孔５０、５０に挿入されるときには、被支持突部５３、５３の係合突部５３ｂ、５３ｂがそれぞれ支持孔５０、５０を形成する壁面に摺動されて弾性変形される。被支持突部５３、５３がそれぞれ支持孔５０、５０にさらに挿入されていくと、係合突部５３ｂ、５３ｂがそれぞれ支持孔５０、５０の前側開口縁に達したところで弾性復帰して該前側係合縁に係合されて操作部４５が支持ベース４４にスライド自在に支持される。
【００９６】
操作部４５が支持ベース４４にスライド自在に支持された状態においては、被案内突部５２、５２がそれぞれ案内溝４９、４９に摺動自在に支持され、操作突部５４が突部挿通孔５１に挿入される。操作部４５が支持ベース４４にスライド自在に支持された状態においては、クリックバネ４６のクリック突部５５ａが操作部４５の被保持溝４５ｆ、４５ｇの一方に挿入されて係合される。
【００９７】
第２の操作ユニット４３は、図４に示すように、取付ネジ１００、１００がそれぞれ支持ベース４４のネジ挿通孔４４ａ、４４ａに挿通されて金属筐体３等に取り付けられる。即ち、一方の取付ネジ１００が回路基板３１のネジ挿通孔３２ａ及びシャーシ２１のネジ止め片２２ａを挿通されて金属筐体３のネジ止め片６ｃに螺合される。また、他方の取付ネジ１００が回路基板３１のネジ挿通孔３２ａを挿通されてイヤホーンユニット２７における保持部材２９のネジ止め部２９ｃに螺合される。従って、取付ネジ１００、１００がそれぞれ金属筐体３のネジ止め片６ｃとイヤホーンユニット２７のネジ止め部２９ｃに螺合されて第２の操作ユニット４３が金属筐体３及びイヤホーンユニット２７に取り付けられる。
【００９８】
尚、一方の取付ネジ１００は、上記した回路基板３１のネジ挿通孔３２ａ及びシャーシ２１のネジ止め片２２ａを挿通され金属筐体３のネジ止め片６ｃに螺合される取付ネジ１００である。従って、一方の取付ネジ１００によって第２の操作ユニット４３と回路基板３１とシャーシ２１が金属筐体３に共締めされる。また、他方の取付ネジ１００は、上記した回路基板３１のネジ挿通孔３２ａを挿通されイヤホーンユニット２７のネジ止め部２９ｃに螺合される取付ネジ１００である。従って、他方の取付ネジ１００によって第２の操作ユニット４３と回路基板３１がイヤホーンユニット２７に共締めされる。
【００９９】
第２の操作ユニット４３が金属筐体３等に取り付けられた状態においては、第２の操作ユニット４３によって回路基板３１に搭載されたアンテナ４２が後方から覆われ、該アンテナ４２が左右から支持ベース４４に設けられた覆い壁４４ｅ、４４ｅによって覆われる。
【０１００】
［リアパネル］
リアパネル５は樹脂材料によって形成されている。リアパネル５の上端部には上方へ開口された切欠部５ａが形成され、該切欠部５ａは下方へ凸の略半円形状に形成されている（図３及び図４参照）。
【０１０１】
リアパネル５の前面には、上端部に左右に離隔して樹脂材料によって形成された結合部５８、５９が設けられている。
【０１０２】
右側に位置する結合部５８は上下に延びる矩形状に形成された結合面部５８ａと該結合面部５８ａの上面における前端部から上方へ突出された係合片部５８ｂとから成る。結合部５８は結合面部５８ａがリアパネル５の前面に取り付けられている。
【０１０３】
左側に位置する結合部５９は前後方向を向く結合面部５９ａと該結合面部５９ａの左側縁に連続する係合片部５９ｂとから成る。係合片部５９ｂは左右方向を向く板状に形成され下半部が結合面部５９ａの左側縁に連続されている。結合部５９は結合面部５９ａがリアパネル５の前面に取り付けられている。
【０１０４】
リアパネル５の前面には、下端部にリアパネル５の剛性を高めるための金属製の補強板６０が取り付けられている。補強板６０はリアパネル５の前面に取り付けられた被取付面部６０ａと該被取付面部６０ａの下縁から前方へ突出されたネジ止め片部６０ｂ、６０ｂとを有し、該ネジ止め片部６０ｂ、６０ｂは左右に離隔して設けられている。
【０１０５】
リアパネル５は、以下のようにして、金属筐体３等に取り付けられる。
【０１０６】
先ず、結合部５８が、図１４に示すように、第２の操作ユニット４３の支持ベース４４に形成された係合用凹部４４ｂに挿入された状態で上方へスライドされ係合片部５８ｂの後面が係合部４４ｄの前面に係合される。同時に、結合部５９の係合片部５９ｂの後縁がシャーシ２１の側面部２３に設けられた係合片２３ａの前面に係合される。
【０１０７】
次に、補強板６０のネジ止め片部６０ｂ、６０ｂが、図１５に示すように、金属筐体３の下面部７の上面に接した状態とされ、ネジ部材２００、２００がそれぞれ下面部７に形成されたネジ挿通孔７ｂ、７ｂを挿通されてネジ止め片部６０ｂ、６０ｂに螺合される。
【０１０８】
ネジ部材２００、２００がネジ止め片部６０ｂ、６０ｂに螺合されることにより、リアパネル５が第２の操作ユニット４３、シャーシ２１及び金属筐体３に取り付けられる。
【０１０９】
リアパネル５が金属筐体３等に取り付けられた状態においては、リアパネル５の切欠部５ａに第２の操作ユニット４３の操作部４５が配置される。
【０１１０】
上記のようにリアパネル５が金属筐体３等に取り付けられることにより携帯端末装置１が構成される。携帯端末装置１が構成された状態においては、図１６に示すように、アンテナ４２の前方には樹脂材料によって形成されたベース体１３の被取付面部１３ｂが位置され、アンテナ４２の上方には樹脂材料によって形成されたベース体１３の貼付面部１３ａが位置される。また、アンテナ４２の後方には樹脂材料によって形成された第２の操作ユニット４３の支持ベース４４が位置され、アンテナ４２の左右には樹脂材料によって形成された支持ベース４４の覆い壁４４ｅ、４４ｅが位置される。従って、アンテナ４２は下方を除く五方向から樹脂材料によって形成された各部によって覆われる。
【０１１１】
［携帯端末装置における操作］
上記のように携帯端末装置１が構成された状態において、電源を投入し、フロントパネル４のタッチパネル部４ａを指やスタイラスペンによって操作することにより、所望の機能を実行させることができる。即ち、タッチパネル部４ａに対する操作によって、各種の機能の実行を可能な状態又は不可能な状態に保持するホールド機能以外の各種の機能を実行させることができる。
【０１１２】
また、ホールド摘子として機能する操作部４５をスライド操作することにより、各種の機能の実行を可能な状態又は不可能な状態に保持するホールド機能を実行させることができる。
【０１１３】
以下に、操作部４５の操作について説明する。
【０１１４】
携帯端末装置１は、携帯用の装置であるため、一般に、片手で把持した状態で使用する場合が多い。例えば、図１７及び図１８に示すように、携帯端末装置１を片手１０００で把持して使用するときに、使用者は表示画面２４が手前を向く向きで使用する場合が多い。このとき人差し指１００１は外筐２の後面２ｂ又は上面２ｃに宛われた状態で位置される。
【０１１５】
従って、携帯端末装置１のように、第２の操作ユニット４３の操作部４５を外筐２の後面２ｂに配置することにより、表示パネル２４が前方を向いた状態で人差し指１００１で操作部４５を容易に操作することができ、操作性の向上を図ることができる。
【０１１６】
また、第１の操作ユニット１２の操作手段１５、１５、１５を外筐２の上面２ｃに配置することにより、表示パネル２４が前方を向いた状態で人差し指１００１で操作手段１５、１５、１５を容易に操作することができ、操作性の向上を図ることができる。
【０１１７】
さらに、操作部４５は略半円形状に形成されているため、スライド操作時に操作部４５に対して指からかかる力が半円形状の中心部Ｐと指を結ぶ方向へかかり易く、操作部４５の円滑な操作を行うことができる。
【０１１８】
操作部４５は下方側の移動端である第１の操作位置（図１９参照）と上方側の移動端である第２の操作位置（図２０参照）との間でスライドされる。操作部４５が第１の操作位置にある状態においては、回路基板３１に搭載されたスイッチ３７が操作部４５の操作突部５４によって操作されており、各種の機能の実行が不可能な状態に保持されている（図１９参照）。
【０１１９】
第１の操作位置において、操作部４５は上側の被保持溝４５ｆにクリックバネ４６のクリック突部５５ａが挿入されて係合されている（図２１参照）。このとき、操作部４５は、図１９に示すように、第１の被規制縁４５ｄ、４５ｄがそれぞれ支持ベース４４の第１のストッパー縁４７ａ、４７ａに係合され、下方へのスライドを規制されて第１の操作位置に保持されている。
【０１２０】
第１の操作位置から操作部４５が上方へ向けてスライド操作されると、被保持溝４５ｆに対するクリック突部５５ａの係合が解除され、仕切部４５ｈにクリック突部５５ａが乗り上げて係合される（図２２参照）。このとき、クリックバネ４６はバネ部５５が弾性変形されクリック突部５５ａは下方へ変位される。
【０１２１】
さらに操作部４５が上方へ向けてスライド操作されると、仕切部４５ｈに対するクリック突部５５ａの係合が解除され、下側の被保持溝４５ｇにクリック突部５５ａが挿入されて係合される（図２３参照）。このとき、操作部４５は、図２０に示すように、第２の被規制縁４５ｅ、４５ｅがそれぞれ支持ベース４４の第２のストッパー縁４７ｂ、４７ｂに係合され、上方へのスライドを規制されて第２の操作位置に保持される。操作部４５が第２の操作位置に保持された状態においては、回路基板３１に搭載されたスイッチ３７に対する操作部４５の操作突部５４による操作が解除されており、各種の機能の実行が可能な状態に保持される（図２０参照）。
【０１２２】
逆に、第２の操作位置から操作部４５が下方へ向けてスライド操作されると、被保持溝４５ｇに対するクリック突部５５ａの係合が解除され、仕切部４５ｈにクリック突部５５ａが乗り上げて係合される（図２２参照）。このとき、クリックバネ４６はバネ部５５が弾性変形されクリック突部５５ａは下方へ変位される。
【０１２３】
さらに操作部４５が下方へ向けてスライド操作されると、仕切部４５ｈに対するクリック突部５５ａの係合が解除され、上側の被保持溝４５ｆにクリック突部５５ａが挿入されて係合される（図２１参照）。このとき、操作部４５は、図１９に示すように、第１の被規制縁４５ｄ、４５ｄがそれぞれ支持ベース４４の第１のストッパー縁４７ａ、４７ａに係合され、下方へのスライドを規制されて第１の操作位置に保持される。操作部４５が再び第１の操作位置に保持されると、回路基板３１に搭載されたスイッチ３７が操作部４５の操作突部５４によって再び操作され、各種の機能の実行が不可能な状態に保持される（図１９参照）。
【０１２４】
上記したように、第２の操作ユニット４３には操作部４５を第１の操作位置又は第２の操作位置に保持するクリックバネ４６が設けられているため、操作性の向上による携帯端末装置１の使い勝手の向上を図ることができる。
【０１２５】
また、クリックバネ４６によって操作部４５が第１の操作位置又は第２の操作位置に確実に保持されるため、使用者の意図した操作に対する機能を確実に実行させることができる。
【０１２６】
さらに、クリックバネ４６が樹脂材料によって形成されているため、クリックバネ４６を設けることによってアンテナ４２の感度の低下を来たすことがなく、良好な通信性能を確保することができる。
【０１２７】
尚、上記には、クリックバネ４６を支持ベース４４とは別部品として形成した例を示したが、図２４に示すように、クリックバネ４６を支持ベース４４と一体に形成することが可能である。
【０１２８】
クリックバネ４６を支持ベース４４と一体に形成することにより、部品点数の削減による携帯端末装置１の製造コストの低減を図ることができる。
【０１２９】
尚、携帯端末装置１にあっては、複数の操作手段１１、１１及び操作手段１５、１５、１５をアンテナ４２を覆う位置に配置している。従って、操作部４５の付近に操作手段１１、１１及び操作手段１５、１５、１５が纏まって配置され、操作性の向上を図ることができる。
【０１３０】
また、操作手段１５として使用頻度の高い再生釦を配置することにより、一層の操作性の向上を図ることができる。
【０１３１】
以上に記載した通り、携帯端末装置１にあっては、外筐２の少なくとも一部を剛性の高い金属筐体３によって構成し、アンテナ４２を閉塞する位置に操作部４５を有する樹脂材料によって形成された第２の操作ユニット４３を配置している。
【０１３２】
従って、外筐２の十分な剛性を確保した上で通信性能の向上を図ることができる。
【０１３３】
上記には、操作部４５が第１としてホールド摘子を設けた例を示したが、操作部４５はホールド摘子に限られることはなく、例えば、ホーム釦（ホーム摘子）や携帯端末装置１に設けられる他の任意の操作手段を用いることができる。
【０１３４】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１３５】
【図１】図２乃至図２４と共に本発明の最良の形態を示すものであり、本図は、携帯端末装置を示す斜視図である。
【図２】携帯端末装置を図１とは異なる方向から見た状態で示す斜視図である。
【図３】携帯端末装置の分解斜視図である。
【図４】携帯端末装置を図３とは異なる方向から見た状態で示す分解斜視図である。
【図５】金属筐体等を示す拡大分解斜視図である。
【図６】第１の操作ユニットと金属筐体等を示す拡大斜視図である。
【図７】シャーシの拡大斜視図である。
【図８】イヤホーンユニットの拡大分解斜視図である。
【図９】回路基板の拡大斜視図である。
【図１０】回路基板を図９とは異なる方向から見た状態で示す拡大斜視図である。
【図１１】第２の操作ユニットと金属筐体等を示す拡大斜視図である。
【図１２】第１の操作ユニットの拡大分解斜視図である。
【図１３】第１の操作ユニットの操作部の拡大斜視図である。
【図１４】リアパネルに設けられた結合部が第２の操作ユニットの支持ベースとシャーシの係合片とに係合された状態を一部を断面にして示す拡大斜視図である。
【図１５】補強板のネジ止め片部が金属筐体の下面部の上面に接した状態を示す拡大斜視図である。
【図１６】アンテナが樹脂材料によって形成された各部に覆われた状態を示す概念図である。
【図１７】携帯端末装置を片手で把持し外筐の後面に配置された操作部を操作している状態を示す斜視図である。
【図１８】携帯端末装置を片手で把持し外筐の上面に配置された操作手段を操作している状態を示す斜視図である。
【図１９】操作部が第１の操作位置に保持されている状態をスイッチとともに示す拡大背面図である。
【図２０】操作部が第２の操作位置に保持されている状態をスイッチとともに示す拡大背面図である。
【図２１】操作部が第１の操作位置に保持されクリックバネのクリック突部が操作部の被保持溝に係合されている状態を示す拡大断面図である。
【図２２】操作部がスライドされクリックバネのクリック突部が仕切部に乗り上げてバネ部が変形されている状態を示す拡大断面図である。
【図２３】操作部が第２の操作位置に保持されクリックバネのクリック突部が操作部の被保持溝に係合されている状態を示す拡大断面図である。
【図２４】クリックバネが操作部に一体に形成された例を示す拡大断面図である。
【符号の説明】
【０１３６】
１…携帯端末装置、２…外筐、３…金属筐体、１１…操作手段、１５…操作手段、２４…表示パネル、３１…回路基板、４２…アンテナ、４３…第２の操作ユニット、４４…支持ベース、４５…操作部、４６…クリックバネ
【図１】
2010136017.tif 000003
【図２】
2010136017.tif 000004
【図３】
2010136017.tif 000005
【図４】
2010136017.tif 000006
【図５】
2010136017.tif 000007
【図６】
2010136017.tif 000008
【図７】
2010136017.tif 000009
【図８】
2010136017.tif 000010
【図９】
2010136017.tif 000011
【図１０】
2010136017.tif 000012
【図１１】
2010136017.tif 000013
【図１２】
2010136017.tif 000014
【図１３】
2010136017.tif 000015
【図１４】
2010136017.tif 000016
【図１５】
2010136017.tif 000017
【図１６】
2010136017.tif 000018
【図１７】
2010136017.tif 000019
【図１８】
2010136017.tif 000020
【図１９】
2010136017.tif 000021
【図２０】
2010136017.tif 000022
【図２１】
2010136017.tif 000023
【図２２】
2010136017.tif 000024
【図２３】
2010136017.tif 000025
【図２４】
2010136017.tif 000026